【手続補正書】
【提出日】平成20年1月29日(2008.1.29)
【手続補正１】
【補正対象書類名】明細書
【補正対象項目名】発明の名称
【補正方法】変更
【補正の内容】
【発明の名称】車輪を備えた装置の車輪清掃装置
【手続補正２】
【補正対象書類名】明細書
【補正対象項目名】特許請求の範囲
【補正方法】変更
【補正の内容】
【特許請求の範囲】
【請求項１】  車輪を載せ受けて回転可能であって略平行に対向配置してなる第１及び第２の受けローラを具えたローラ組み枠と、前記第１及び第２の受けローラのうち少なくとも一方の受けローラを回転駆動するためのローラ駆動手段と、前記第１及び第２の受けローラ上で追従回転する前記車輪を清掃するための清掃手段と、前記ローラ組み枠を揺動中心に対して正逆方向に揺動可能に支持するための揺動支持機構と、前記第１の受けローラに対して前記第２の受けローラが相対的に跳ね上がる方向に前記ローラ組み枠を付勢するべき付勢手段とを有して成ることを特徴とする車輪を備えた装置の車輪清掃装置。
【請求項２】  請求項１において、前記付勢手段は弾性手段であることを特徴とする車輪を備えた装置の車輪清掃装置。
【請求項３】  請求項１又は請求項２において、前記揺動中心は前記第１及び第２の受けローラの挟間に軸架してなる軸体であることを特徴とする車輪を備えた装置の車輪清掃装置。
【請求項４】  請求項３において、前記ローラ組み枠の外で、前記車輪を載せ受けて回転可能であって前記第１の受けローラと略平行に相隣る第３の受けローラを有し、前記第３の受けローラの回転中心が前記揺動中心よりも高所位置にあることを特徴とする車輪を備えた装置の車輪清掃装置。
【請求項５】  請求項４において、前記ローラ組み枠は、前記第１の受けローラと前記第３の受けローラとの挟間に位置した落ち込み防止体を備えて成ることを特徴とする車輪を備えた装置の車輪清掃装置。
【請求項６】  請求項１乃至請求項５のいずれか一項において、前記第１及び第２の受けローラの少なくとも一方は、回転軸部に外嵌して外周側に弾力収縮性の吸水性素材を持つ筒状体を有し、前記清掃手段は、前記筒状体と、当該筒状体の下側を洗浄液で濡らすための洗浄液付着手段とを以って構成されていることを特徴とする車輪を備えた装置の車輪清掃装置。
【請求項７】  請求項６において、前記筒状体は、内周側に前記回転軸部に対して逃げ滑り可能の芯筒を有することを特徴とする車椅子用車輪清掃装置。
【請求項８】  請求項６又は請求項７において、前記液体付着手段は、前記筒状体の下側を洗浄液に浸漬するための貯液槽であることを特徴とする車輪を備えた装置の車輪清掃装置。
【請求項９】  請求項８において、前記筒状体は、その芯筒の下弧側に遊隙を残して上弧側で前記回転軸部に接触する外接式筒状体であることを特徴とする車椅子用車輪清掃装置。
【請求項１０】  請求項１乃至請求項５のいずれか一項において、前記各受けローラは、回転軸部に外嵌して外周側に弾力収縮性の吸水性素材を持つ筒状体をそれぞれ有し、前記清掃手段は、前記各筒状体と、前記第１及び第２の受けローラの筒状体の下側を洗浄液で濡らすための洗浄液付着手段とを以って構成されていることを特徴とする車輪を備えた装置の車輪清掃装置。
【請求項１１】  請求項１０において、前記各筒状体は、内周側に前記回転軸部に対して逃げ滑り可能の芯筒をそれぞれ有することを特徴とする車輪を備えた装置の車輪清掃装置。
【請求項１２】  請求項１１において、前記筒状体は、その芯筒の下弧側に遊隙を残して上弧側で前記回転軸部に接触する外接式筒状体であることを特徴とする車輪を備えた装置の車輪清掃装置。
【請求項１３】  請求項１０乃至請求項１２のいずれか一項において、前記液体付着手段は、前記第１の受けローラの前記筒状体の下側を洗浄液に浸漬するための第１の貯液槽と、前記第２の受けローラの前記筒状体の下側を洗浄液に浸漬するための第２の貯液槽とを有して成ることを特徴とする車輪を備えた装置の車輪清掃装置。
【請求項１４】  請求項１３において、前記第２の貯液槽は前記第１の貯液槽の中に設置されており、前記第２の貯液槽の槽壁のうち前記第１の受けローラ側における槽壁の上端が当該第１の受けローラの筒状体の上動側外周面に添接していることを特徴とする車輪を備えた装置の車輪清掃装置。
【請求項１５】  請求項１４において、前記第２の貯液槽の槽壁の上端は前記第１の貯液槽の槽壁の上端よりも高所位置にあることを特徴とする車輪を備えた装置の車輪清掃装置。
【請求項１６】  車輪を載せ受けて回転可能であって略平行に対向配置してなる第１及び第２の受けローラをそれぞれ具えた右ローラ組み枠及び左ローラ組み枠と、前記各ローラ組み枠における前記第１及び第２の受けローラのうち少なくとも一方の受けローラ同士を相互に同期回転駆動するためのローラ駆動手段と、前記各ローラ組み枠における前記第１及び第２の受けローラ上で追従回転する前記車輪を清掃するための清掃手段と、前記各ローラ組み枠を揺動中心に対して正逆方向に揺動可能に支持するための揺動支持機構と、前記各ローラ組み枠における前記第１のローラに対して前記第２の受けローラが相対的に跳ね上がる方向に前記各ローラ組み枠を付勢するべき付勢手段とを有して成ることを特徴とする車輪を備えた装置の車輪清掃装置。
【請求項１７】  請求項１６において、前記付勢手段は弾性手段であることを特徴とする車輪を備えた装置の車輪清掃装置。
【請求項１８】  請求項１６又は請求項１７において、前記揺動中心は前記各ローラ組み枠における前記第１及び第２の受けローラの挟間に軸架してなる軸管であることを特徴とする車輪を備えた装置の車輪清掃装置。
【請求項１９】  請求項１８において、前記ローラ駆動手段の動力伝達軸が前記右側及び左側ローラ組み枠のいずれか一方の前記軸管内に貫挿されてなることを特徴とする車輪を備えた装置の車輪清掃装置。
【請求項２０】  請求項１９において、前記右ローラ組み枠における前記第１の受けローラの第１の回転軸と前記左ローラ組み枠における前記第１の受けローラの第１の回転軸とが第１の中継軸を介して同軸線上にあると共に、前記右ローラ組み枠における前記第２の受けローラの第２の回転軸と前記左ローラ組み枠における前記第２の受けローラの第２の回転軸とが第２の中継軸を介して同軸線上にあって、前記動力伝達軸の動力を前記第１の中継軸と前記第２の中継軸とに分配伝達するための動力分配機構を有することを特徴とする車輪を備えた装置の車輪清掃装置。
【請求項２１】  請求項２０において、前記動力分配機構は、前記動力伝達軸からいずれか一方の前記中継軸に動力を伝達する第１の巻き掛け機構と、その一方の前記中継軸から他方の前記中継軸に動力を伝達する第２の巻き掛け機構とを有することを特徴とする車輪を備えた装置の車輪清掃装置。
【請求項２２】  請求項２０又は請求項２１において、前記各ローラ組み枠は、前記第１及び第２の回転軸を回転自在且つ傾動可能に支承する軸受部を有し、前記各第１の回転軸と前記第１の中継軸との接ぎ合わせ端部がそれぞれ相差し込み式端部であると共に、前記各第２の回転軸と前記第２の中継軸との接ぎ合わせ端部がそれぞれ相差し込み式端部であって、前記各接ぎ合わせ端部に外嵌する接手スリーブを固定手段を以って着脱可能に固定してなることを特徴とする車輪を備えた装置の車輪清掃装置。
【請求項２３】  請求項１８乃至請求項２２のいずれか一項において、前記各ローラ組み枠の外で、前記車輪を載せ受けて回転可能であって前記第１の受けローラと略平行に相隣る第３の受けローラを有し、前記第３の受けローラの回転中心が前記揺動中心よりも高所位置にあることを特徴とする車輪を備えた装置の車輪清掃装置。
【請求項２４】  請求項２３において、前記各ローラ組み枠は、前記第１の受けローラと前記第３の受けローラとの挟間に位置する落ち込み防止体を備えて成ることを特徴とする車輪を備えた装置の車輪清掃装置。
【請求項２５】  請求項１６乃至請求項２４のいずれか一項において、前記各ローラ組み枠における前記第１及び第２の受けローラの少なくとも一方は、回転軸部に外嵌して外周側に弾力収縮性の吸水性素材を持つ筒状体を有し、前記清掃手段は、前記筒状体と、当該筒状体の下側を洗浄液で濡らすための洗浄液付着手段とを以って構成されていることを特徴とする車輪を備えた装置の車輪清掃装置。
【請求項２６】  請求項２５において、前記筒状体は、内周側に前記回転軸部に対して逃げ滑り可能の芯筒を有することを特徴とする車輪を備えた装置の車輪清掃装置。
【請求項２７】  請求項２５又は請求項２６において、前記液体付着手段は、前記筒状体の下側を洗浄液に浸漬するための貯液槽であることを特徴とする車椅子用車輪清掃装置。
【請求項２８】  請求項２７において、前記筒状体は、その芯筒の下弧側に遊隙を残して上弧側で前記回転軸部に接触する外接式筒状体であることを特徴とする車輪を備えた装置の車輪清掃装置。
【請求項２９】  請求項１６乃至請求項２４のいずれか一項において、前記各受けローラは、回転軸部に外嵌して外周側に弾力収縮性の吸水性素材を持つ筒状体をそれぞれ有し、前記清掃手段は、前記各筒状体と、前記各ローラ組み枠における前記第１及び第２の受けローラの筒状体の下側を洗浄液で濡らすための洗浄液付着手段とを以って構成されていることを特徴とする車輪を備えた装置の車輪清掃装置。
【請求項３０】  請求項２９において、前記各筒状体は、内周側に前記回転軸部に対して逃げ滑り可能の芯筒をそれぞれ有することを特徴とする車輪を備えた装置の車輪清掃装置。
【請求項３１】  請求項３０において、前記筒状体は、その芯筒の下弧側に遊隙を残して上弧側で前記回転軸部に接触する外接式筒状体であることを特徴とする車輪を備えた装置の車輪清掃装置。
【請求項３２】  請求項２９乃至請求項３１のいずれか一項において、前記液体付着手段は、前記第１の受けローラの前記筒状体の下側を洗浄液に浸漬するための第１の貯液槽と、前記第２の受けローラの前記筒状体の下側を洗浄液に浸漬するための第２の貯液槽とを有して成ることを特徴とする車輪を備えた装置の車輪清掃装置。
【請求項３３】  請求項３２において、前記第２の貯液槽は前記第１の貯液槽の中に設置されており、前記第２の貯液槽の槽壁のうち前記第１の受けローラ側における槽壁の上端が当該第１の受けローラの筒状体の上動側外周面に添接していることを特徴とする車輪を備えた装置の車輪清掃装置。
【請求項３４】  請求項３３において、前記第２の貯液槽の槽壁の上端は前記第１の貯液槽の槽壁の上端よりも高所位置にあることを特徴とする車輪を備えた装置の車輪清掃装置。